(57)【要約】【課題】全ストローク範囲で減衰力を発生するダンパを提供する。【解決手段】ダンパ１０は、第１シリンダ部２０、第２シリンダ部３０、仕切部材４０、ロッドガイド５０、第１ピストン６０、ロッド７０、及び第２ピストン８０を備えている。仕切部材４０は第１シリンダ部２０と第２シリンダ部３０との境界部に設けられている。また、仕切部材４０は第１シリンダ部２０と第２シリンダ部３０とを連通する第１連通路４３を有している。第１ピストン６０は作動油Ｙが充填された第１シリンダ部２０内に摺動自在に収納されている。また、第１ピストン６０は第１シリンダ部２０内を第１室Ｃ１と第２室Ｃ２とに区画している。第２ピストン８０は第２シリンダ部３０内に摺動自在に収納されている。また、第２ピストン８０は第２室Ｃ２に連通して作動油Ｙが充填された第３室Ｃ３とガスＧが充填された第４室Ｃ４とに第２シリンダ部３０内を区画している。【選択図】図２
2017180493.tif 000002
【特許請求の範囲】
【請求項１】
筒状の第１シリンダ部と、
前記第１シリンダ部に一方の端部が連通し、他方の端部が閉鎖した筒状の第２シリンダ部と、
前記第１シリンダ部と前記第２シリンダ部との境界部に設けられ、前記第１シリンダ部と前記第２シリンダ部とを連通する連通路を有した仕切部材と、
前記第１シリンダ部の端部に開口した開口部を封鎖したロッドガイドと、
作動液体が充填された前記第１シリンダ部内に摺動自在に収納され、前記第１シリンダ部内を第１室と第２室とに区画した第１ピストンと、
基端部が前記第１ピストンに連結されており、前記ロッドガイドを摺動自在に挿通して先端側が前記第１シリンダ部の外部へ突出したロッドと、
前記第２シリンダ部内に摺動自在に収納され、前記第２室に連通して作動液体が充填された第３室とガスが充填された第４室とに前記第２シリンダ部内を区画した第２ピストンと、
を備えていることを特徴とするダンパ。
【請求項２】
筒状の第１シリンダ部と、
前記第１シリンダ部に一方の端部が連通し、他方の端部が閉鎖した筒状の第２シリンダ部と、
前記第１シリンダ部と前記第２シリンダ部との境界部に設けられ、第１シリンダ部と第２シリンダ部とを連通する連通路を有した仕切部材と、
前記第１シリンダ部の端部に開口した開口部を封鎖したロッドガイドと、
作動液体が充填された前記第１シリンダ部内に摺動自在に収納され、前記第１シリンダ部内を第１室と第２室とに区画した第１ピストンと、
基端部が前記第１ピストンに連結されており、前記ロッドガイドを摺動自在に挿通して先端側が前記第１シリンダ部の外部へ突出したロッドと、
前記第２シリンダ部内に収納され、内部にガスを充填した袋体と、
を備えていることを特徴とするダンパ。
【請求項３】
前記第１シリンダ部と前記第２シリンダ部とが並列配置されるように、前記第１シリンダ部と前記第２シリンダ部とを連通する連通部を備えていることを特徴とする請求項１又は２記載のダンパ。
【請求項４】
前記連通路は、前記第１シリンダ部と前記第２シリンダ部との間を流れる作動液体に抵抗を付与する第１連通路と、前記第２シリンダ部から前記第１シリンダ部への作動液体の流れのみを許容する逆止弁が設けられた第２連通路とを有し、
前記第１ピストンは、前記第１室と前記第２室との間を流れる作動液体に抵抗を付与する第３連通路と、前記第１室から前記第２室への作動液体の流れのみを許容する逆止弁が設けられた第４連通路とを有していることを特徴とする請求項１乃至３のいずれか１項記載のダンパ。
【請求項５】
前記ロッドが前記第１シリンダから上方に突出し、前記第１シリンダ及び前記ロッドの中心軸が水平面に対して所定の角度に傾斜した状態で設置面上に設置された物品の上面と天井との間に取り付けられる請求項１乃至４のいずれか１項記載のダンパを備えていることを特徴とする転倒防止装置。
【発明の詳細な説明】
【技術分野】
【０００１】
本発明はダンパ及びこのダンパを備えた転倒防止装置に関するものである。
【背景技術】
【０００２】
特許文献１は従来のダンパを備えた転倒防止装置を開示している。このダンパは、シリンダ、ロッドガイド、ピストン、及びロッドを備えている。シリンダは有底筒状である。ロッドガイドはシリンダの開口部を封鎖している。ピストンはシリンダ内に摺動自在に収納されている。ロッドは、基端部がピストンに連結され、ロッドガイドを摺動自在に挿通し、先端側がシリンダの外部へ突出している。また、ダンパはシリンダ内に作動油及び圧縮ガスを封入している。このダンパは家具の上面と天井との間に取り付けられる転倒防止装置を構成している。この転倒防止装置は、ダンパのシリンダの底部が開口部よりも下方に位置し、ロッドがシリンダから上方に突出し、シリンダ及びロッドの中心軸が水平面に対して所定の角度に傾斜した状態で、家具の上面と天井との間に取り付けられる。この転倒防止装置は、地震等の揺れによって家具が傾いた際、ダンパのピストンが作動油内で移動することによって発生する減衰力が家具に作用して、家具の傾きを抑制し、家具の転倒を防止することができる。
【先行技術文献】
【特許文献】
【０００３】
【特許文献１】特開２０１５−６３３０号公報
【発明の概要】
【発明が解決しようとする課題】
【０００４】
しかし、このダンパのピストンは、作動油内のみでなく、作動油よりも上方に封入された圧縮ガス内も移動し得る。ダンパは圧縮ガス内でピストンが移動しても減衰力を発生することができない。つまり、このダンパは全ストローク範囲で減衰力を発生することができない。
【０００５】
また、このダンパを備えた転倒防止装置は、家具の上面と天井との間隔が広いと、ピストンが作動油よりも上方に封入された圧縮ガス内に配置された状態で、家具の上面と天井との間に取り付けられるおそれがある。転倒防止装置は、ピストンが圧縮ガス内に配置された状態で取り付けられると、地震等の揺れによって家具が傾いた際、ダンパが収縮してピストンが作動油内に移動するまでダンパが減衰力を発生しない。このため、この転倒防止装置はダンパの減衰力が家具に有効に作用せずに家具が転倒するおそれがある。
【０００６】
本発明は、上記従来の実情に鑑みてなされたものであって、全ストローク範囲で減衰力を発生するダンパを提供するとともに、このダンパを備えることによって、物品の転倒を良好に防止することができる転倒防止装置を提供することを解決すべき課題としている。
【課題を解決するための手段】
【０００７】
第１発明のダンパは、第１シリンダ部、第２シリンダ部、仕切部材、ロッドガイド、第１ピストン、ロッド、及び第２ピストンを備えている。第１シリンダ部は筒状である。第２シリンダ部は第１シリンダ部に一方の端部が連通している。また、第２シリンダ部は他方の端部が閉鎖した筒状である。仕切部材は第１シリンダ部と第２シリンダ部との境界部に設けられている。また、仕切部材は第１シリンダ部と第２シリンダ部とを連通する連通路を有している。ロッドガイドは第１シリンダ部の端部に開口した開口部を封鎖している。第１ピストンは作動液体が充填された第１シリンダ部内に摺動自在に収納されている。また、第１ピストンは第１シリンダ部内を第１室と第２室とに区画している。ロッドは基端部が第１ピストンに連結されている。また、ロッドはロッドガイドを摺動自在に挿通して先端側が第１シリンダ部の外部へ突出している。第２ピストンは第２シリンダ部内に摺動自在に収納されている。また、第２ピストンは第２室に連通して作動液体が充填された第３室とガスが充填された第４室とに第２シリンダ部内を区画している。
【０００８】
第２発明のダンパは、第１シリンダ部、第２シリンダ部、仕切部材、ロッドガイド、第１ピストン、ロッド、及び袋体を備えている。第１シリンダ部は筒状である。第２シリンダ部は記第１シリンダ部に一方の端部が連通している。また、第２シリンダ部は他方の端部が閉鎖した筒状である。仕切部材は第１シリンダ部と第２シリンダ部との境界部に設けられている。また、仕切部材は第１シリンダ部と第２シリンダ部とを連通する連通路を有している。ロッドガイドは第１シリンダ部の端部に開口した開口部を封鎖している。第１ピストンは作動液体が充填された第１シリンダ部内に摺動自在に収納されている。また、第１ピストンは第１シリンダ部内を第１室と第２室とに区画している。ロッドは基端部が第１ピストンに連結されている。また、ロッドはロッドガイドを摺動自在に挿通して先端側が第１シリンダ部の外部へ突出している。袋体は第２シリンダ部内に収納されている。また、袋体は内部にガスを充填している。
【０００９】
これらダンパは、収縮動作すると、ロッドが第１シリンダ部内へ入り込むことにより第１シリンダ部内のロッドが占める体積が増加するため、その体積と等しい量の作動液体が、仕切部材の連通路を通って第１シリンダ部から第２シリンダ部内に流入する。第２シリンダ部内の作動液体が増加するに従い、第２ピストンが第４室側に押されて第４室に充填されたガス、又は第２シリンダ部内に収納されたガスが充填された袋体が圧縮されるため、これらの膨張力が増加し、作動液体を第２シリンダ部内から第１シリンダ部へ押し返す力が増加する。つまり、これらダンパは、収縮すると、第４室内に充填されたガス、又はガスが充填された袋体が圧縮され、これらの膨張力が伸長する方向に作用する。また、これらダンパは、伸長動作する際、作動液体が仕切部材の連通路を通って第２シリンダ部から第１シリンダ部内に移動する。このように、このダンパは、第２シリンダ部が体積補償部として作用する。このため、これらダンパは、第１シリンダ部内に作動液体が充填された状態を保ち、作動液体が充填された第１シリンダ部内をピストンが移動するため、常に減衰力を発生することができる。ここで、ダンパの伸長動作とは、第１シリンダ部からのロッドの突出長さ及びダンパの長さが長くなっていく動作を意味する。また、ダンパの収縮動作とは、第１シリンダ部からのロッドの突出長さ及びダンパの長さが短くなっていく動作を意味する。
【００１０】
したがって、これらダンパは全ストローク範囲で減衰力を発生することができる。
【００１１】
本発明のダンパは、第１シリンダ部と第２シリンダ部とが並列配置されるように、第１シリンダ部と第２シリンダ部とを連通する連通部を備え得る。この場合、ダンパは全長を短くすることができる。
【００１２】
本発明のダンパにおいて、仕切部材の連通路は、第１シリンダ部と第２シリンダ部との間を流れる作動液体に抵抗を付与する第１連通路と、第２シリンダ部から第１シリンダ部への作動液体の流れのみを許容する逆止弁が設けられた第２連通路とを有し得る。また、第１ピストンは、第１室と第２室との間を流れる作動液体に抵抗を付与する第３連通路と、第１室から第２室への作動液体の流れのみを許容する逆止弁が設けられた第４連通路とを有し得る。この場合、このダンパは、収縮動作する際の全ストロークにおいて、減衰力を発生することができる。一方、このダンパは、伸長動作する際に作動液体が第２連通路及び第４連通路を流れるため、伸長方向に抵抗がなく第４室内に充填されたガス、又はガスが充填された袋体の膨張力によってスムーズに伸長することができる。このため、このダンパを設置面上に設置された物品の上面と天井との間に取り付けると、地震等の揺れによる物品の傾きに確実に追随することができる。
【００１３】
本発明の転倒防止装置は前記ダンパを備えている。このダンパはロッドが第１シリンダから上方に突出し、第１シリンダ及びロッドの中心軸が水平面に対して所定の角度に傾斜した状態で設置面上に設置された物品の上面と天井との間に取り付けられる。
【００１４】
この転倒防止装置は、ダンパが全ストローク範囲で減衰力を発生するため、地震等の揺れによって物品が傾いた際、常にダンパの減衰力が物品に作用し、物品の転倒を防止することができる。ここで、所定角度とは、物品の転倒を良好に防止することができる６５°〜７５°である。また、物品は、家具、複数の寝台を上下方向に連結したベッド、大型テレビ、冷蔵庫、書棚、ショーケース、サーバーラック等、地震の揺れ等によって転倒するおそれのあるものが含まれる。
【図面の簡単な説明】
【００１５】
【図１】実施形態１の転倒防止装置を家具の上面と天井との間に取り付けた状態を示す側面図である。
【図２】実施形態１の転倒防止装置を示す断面図である。
【図３】実施形態２の転倒防止装置を示す断面図である。
【図４】実施形態３の転倒防止装置を示す断面図である。
【図５】実施形態４の転倒防止装置を示す断面図である。
【発明を実施するための形態】
【００１６】
本発明のダンパを備えた転倒防止装置を具体化した実施形態１〜４について、図面を参照しつつ説明する。
【００１７】
＜実施形態１＞
実施形態１の転倒防止装置は、図１及び図２に示すように、ダンパ１０、一対のベース部１Ａ，１Ｂを備えている。この転倒防止装置は、家具Ｆの上面と天井Ｔとの間に少なくとも１個以上が取り付けられる。この家具Ｆは、床面（図示せず）から鉛直方向に伸びた壁面Ｗに背面を対向させて床面上に設置されている。また、この家具Ｆは、直方体形状であり、正面（図１における右側面）に図示しない扉や引き出し等を有し、内部に衣類や装身具等を収納することができる。家具Ｆは、水平断面形状が左右方向（図１において奥行き方向）に長い長方形状である。この家具Ｆは、転倒防止装置が取り付けられていない場合、地震等の揺れによって、前方向（図１において右方向）に傾いて転倒するおそれがある。
【００１８】
ダンパ１０は、図２に示すように、第１シリンダ部２０、第２シリンダ部３０、仕切部材４０、ロッドガイド５０、第１ピストン６０、ロッド７０、第２ピストン８０、及び両端の設けられた２個のジョイント部９０Ａ，９０Ｂを備えている。第１シリンダ部２０及び第２シリンダ部３０は、一端部が開口し、他端部が閉鎖した円筒状のシリンダ部材２１によって形成されている。シリンダ部材２１は軸方向の中間部に仕切部材４０が取り付けられている。シリンダ部材２１は、仕切部材４０を境界にしてシリンダ部材２１の開口した一端部側に第１シリンダ部２０を形成し、閉鎖した他端部側に第２シリンダ部３０を形成している。つまり、第１シリンダ部２０は円筒状である。また、第２シリンダ部３０は、第１シリンダ部２０に一方の端部が連続し、他方の端部が閉鎖した円筒状である。第１シリンダ部２０は作動油Ｙが充填されている。
【００１９】
仕切部材４０は、上述したように、第１シリンダ部２０と第２シリンダ部３０との境界部に設けられている。仕切部材４０は円盤状である。仕切部材４０は外径がシリンダ部材２１（第１シリンダ部２０及び第２シリンダ部３０）の内径と略等しい。仕切部材４０は外周面を一周するように中心軸方向に凹んだ凹部４１が形成されている。シリンダ部材２１は仕切部材４０が設けられた部分の周壁部を一周するように内側に凹ませた絞り部２３が形成されている。仕切部材４０は外周面に形成された凹部４１にシリンダ部材２１の絞り部２３を嵌め込んで固定されている。仕切部材４０は第１シリンダ部２０と第２シリンダ部３０とを連通する第１連通路４３を有している。第１連通路４３は第１シリンダ部２０と第２シリンダ部３０との間を流れる作動油Ｙに抵抗を付与する。また、仕切部材４０は第１シリンダ部２０と第２シリンダ部３０とを連通する第２連通路４５を有している。第２連通路４５はダンパ１０の伸長動作に伴う第２シリンダ部３０から第１シリンダ部２０への作動油Ｙの流れのみを許容する逆止弁４７が設けられている。このため、このダンパ１０は、仕切部材４０によっても、伸長動作時よりも収縮動作時に大きな減衰力が発生する。
【００２０】
ロッドガイド５０は第１シリンダ部２０の一端部に開口した開口部２５を封鎖している。ロッドガイド５０は円環状である。ロッドガイド５０は外径が第１シリンダ部２０の開口部２５の内径と略等しい。ロッドガイド５０は、中央に貫通した貫通孔５１の内径がロッド７０の外径よりも僅かに大きく、ロッド７０を摺動自在に挿通している。ロッドガイド５０は貫通孔５１の内周面を一周する溝部が設けられている。ロッドガイド５０は、貫通孔５１の内周面に設けられた溝部に環状のオイルシール５３がはめ込まれている。このように、このダンパ１０は、第１シリンダ部２０に作動油Ｙが充填されており、オイルシール５３によって、ロッドガイド５０とロッド７０との間をシールするため、ロッドガイド５０とロッド７０との間の摩擦を抑えて摺動性が良く、微振幅の応答が良好である。
【００２１】
第１ピストン６０は円盤状である。第１ピストン６０は外径が第１シリンダ部２０の内径よりも僅かに小さい。第１ピストン６０は作動油Ｙが充填された第１シリンダ部２０内に摺動自在に収納されている。第１ピストン６０は第１シリンダ部２０内を第１室Ｃ１と第２室Ｃ２とに区画している。第１ピストン６０は第１室Ｃ１と第２室Ｃ２とを連通する第３連通路６１を有している。第３連通路６１は第１室Ｃ１と第２室Ｃ２との間を流れる作動油Ｙに抵抗を付与する。また、第１ピストン６０は第１室Ｃ１と第２室Ｃ２とを連通する第４連通路６３を有している。第４連通路６３はダンパ１０の伸長動作に伴う第１室Ｃ１から第２室Ｃ２への作動油Ｙの流れのみを許容する逆止弁６５が設けられている。このため、このダンパ１０は伸長動作時よりも収縮動作時に大きな減衰力を発生する。このように、このダンパ１０は、第１ピストン６０及び仕切部材４０によって、伸長動作時よりも収縮動作時に大きな減衰力が発生する圧効きダンパである。
【００２２】
ロッド７０は円柱状である。このロッド７０は基端部が第１ピストン６０に連結されている。また、ロッド７０は、上述したように、ロッドガイド５０の貫通孔５１を摺動自在に挿通している。ロッド７０は先端側が第１シリンダ部２０の外部へ突出している。
【００２３】
第２ピストン８０は円盤状である。第２ピストン８０は第２シリンダ部３０内を第３室Ｃ３と第４室Ｃ４とに区画している。第３室Ｃ３は第２室Ｃ２に連通して作動油Ｙが充填されている。第４室Ｃ４はガスＧが充填されている。第２ピストン８０は外周面を一周する溝部が形成されている。第２ピストン８０は溝部に嵌まり込む環状パッキン８１を有している。このため、第２シリンダ部３０は、第３室Ｃ３内に充填された作動油Ｙが第４室Ｃ４に流入したり、第４室Ｃ４内に充填されたガスＧが第３室Ｃ３内に流入したりすることを防止している。
【００２４】
各ジョイント部９０Ａ，９０Ｂは、平板状の金具を折り曲げて形成されている。また、各ジョイント部９０Ａ，９０Ｂはシリンダ部材２１の閉鎖した他端部とロッド７０の先端部に接続されている。各ジョイント部９０Ａ，９０Ｂはダンパ１０の軸線に直交する方向に貫通した貫通孔９１が形成されている。
【００２５】
一対のベース部１Ａ，１Ｂは、シリンダ部材２１の他端部に接続されたジョイント部９０Ａに連結した第１ベース部１Ａであり、ロッド７０の先端部に接続されたジョイント部９０Ｂに連結した第２ベース部１Ｂである。第１ベース部１Ａは家具Ｆの上面に当接して載置され、第２ベース部１Ｂは天井Ｔに当接する。第１ベース部１Ａ及び第２ベース部１Ｂは同じ形態及び構造である。各ベース部１Ａ，１Ｂは、ベース部本体３、回動軸部材５、及び滑り止め部７を有している。
【００２６】
家具Ｆの上面に当接して載置された状態で第１ベース部１Ａを上方から見た平面視において、ベース部本体３は長方形状の外形である（以下、この平面視におけるベース部本体３の外形において長辺が延びている方向を「長辺方向」と言い、短辺が延びている方向を「短辺方向」と言う。）。また、家具Ｆの上面に当接して載置された状態で第１ベース部１Ａを短辺方向に見た側面視において、ベース部本体３は、下端縁が家具Ｆの上面に平行に直線状に伸びており、上端縁が下端縁の両側から上方に膨らんだ円弧状の外形である（図１参照）。
【００２７】
家具Ｆの上面に当接して載置された状態の第１ベース部１Ａにおいて、ベース部本体３は、長辺方向の中央部の両側に窪み部９が形成されている。この窪み部９は上方向と短辺方向の外方向に開口している。また、この窪み部９は短辺方向に貫通した挿通孔が側面に開口している。回動軸部材５は、ベース部本体３の挿通孔の一方から挿入され、中心軸が各ベース部１Ａ，１Ｂにおけるダンパ１０の回動軸になる。
【００２８】
滑り止め部７は、ベース部本体３の外形に僅かに大きい相似形（長方形状）の外形である。滑り止め部７は弾性体である。また、滑り止め部７は、家具Ｆの上面に当接して載置された状態の第１ベース部１Ａにおいて、ベース部本体３の下端開口に嵌合されている。また、滑り止め部７は略平板である。詳しくは、滑り止め部７は、家具Ｆの上面又は天井Ｔに当接する面が平坦である。滑り止め部７はその弾性力によってベース部本体３に着脱自在に取り付けられている。
【００２９】
このような構成を有する転倒防止装置は、ロッド７０がシリンダ部材２１（第１シリンダ部２０）から上方に突出し、シリンダ部材２１（第１シリンダ部２０及び第２シリンダ部３０）及びロッド７０の中心軸が水平面に対して６５°〜７５°の間の角度に傾斜するように、家具Ｆの上面と天井Ｔとの間に取り付けられる。
【００３０】
このように家具Ｆの上面と天井Ｔとの間に取り付けられた転倒防止装置は、地震等の揺れによって家具Ｆが傾き、ダンパ１０が収縮動作すると、第２室Ｃ２に充填された作動油Ｙが第１ピストン６０の第３連通路６１を流れて第１室Ｃ１に流入する。また、ダンパ１０が収縮動作すると、ロッド７０が第１シリンダ部２０内へ入り込むことにより第１シリンダ部２０内のロッド７０が占める体積が増加するため、その体積と等しい量の作動油Ｙが、第２室Ｃ２から仕切部材４０の第１連通路４３を流れて第２シリンダ部３０に形成された第３室Ｃ３にも流入する。これによって、このダンパ１０は減衰力が発生する。
【００３１】
また、このダンパ１０は、第３室Ｃ３内の作動油Ｙが増加するに従い、第２ピストン８０が第４室Ｃ４側に押されて第４室Ｃ４に充填されたガスＧが圧縮される。このため、この転倒防止装置は、ダンパ１０が収縮動作すると、第４室Ｃ４内に充填されたガスＧの膨張力が増加し、作動油Ｙを第２シリンダ部３０の第３室Ｃ３から第１シリンダ部２０の第２室Ｃ２へ押し返す力が増加する。このように、この転倒防止装置は、ダンパ１０が収縮すると、伸長方向へガスＧの膨張力が作用する。
【００３２】
また、この転倒防止装置は、ダンパ１０が伸長動作すると、第１室Ｃ１に充填された作動油Ｙが第１ピストン６０の第３連通路６１及び逆止弁が設けられた第４連通路６３を流れて、第２室Ｃ２に流入する。また、ダンパ１０が伸長動作すると、ロッド７０が第１シリンダ部２０内から退出することにより第１シリンダ部２０内のロッド７０が占める体積が減少するため、その体積と等しい量の作動油Ｙが、第３室Ｃ３から仕切部材４０の第１連通路４３及び逆止弁４７が設けられた第２連通路４５を通って第２室Ｃ２に流入する。このように、この転倒防止装置のダンパ１０は、第２シリンダ部３０が体積補償部として作用し、第１シリンダ部２０内は作動油Ｙが充填された状態が保持される。また、この転倒防止装置のダンパ１０は、伸長動作する際に作動油Ｙが第２連通路４５及び第４連通路６３を流れるため、伸長方向に抵抗がなく第４室Ｃ４内に充填されたガスＧの膨張力によってスムーズに伸長することができる。このため、この転倒防止装置のダンパ１０は、地震等の揺れによる家具Ｆの傾きに確実に追随することができる。
【００３３】
このように、この転倒防止装置は、作動油Ｙが充填された第１シリンダ部２０内を第１ピストン６０が移動するため、ダンパ１０が常に減衰力を発生することができる。よって、この転倒防止装置は、地震等の揺れによって家具Ｆが傾いた際、ダンパ１０が全ストローク範囲で減衰力を発生し、常にダンパ１０の減衰力が家具Ｆに作用して、家具Ｆの転倒を防止することができる。
【００３４】
以上説明したように、実施形態１の転倒防止装置を構成するダンパ１０は、第１シリンダ部２０、第２シリンダ部３０、仕切部材４０、ロッドガイド５０、第１ピストン６０、ロッド７０、及び第２ピストン８０を備えている。第１シリンダ部２０は円筒状である。第２シリンダ部３０は第１シリンダ部２０に一方の端部が連続している。また、第２シリンダ部３０は他方の端部が閉鎖した円筒状である。仕切部材４０は第１シリンダ部２０と第２シリンダ部３０との境界部に設けられている。また、仕切部材４０は第１シリンダ部２０と第２シリンダ部３０とを連通する第１連通路４３を有している。ロッドガイド５０は第１シリンダ部２０の端部に開口した開口部２５を封鎖している。第１ピストン６０は作動油Ｙが充填された第１シリンダ部２０内に摺動自在に収納されている。また、第１ピストン６０は第１シリンダ部２０内を第１室Ｃ１と第２室Ｃ２とに区画している。ロッド７０は基端部が第１ピストン６０に連結されている。また、ロッド７０はロッドガイド５０を摺動自在に挿通して先端側が第１シリンダ部２０の外部へ突出している。第２ピストン８０は第２シリンダ部３０内に摺動自在に収納されている。また、第２ピストン８０は第２室Ｃ２に連通して作動油Ｙが充填された第３室Ｃ３とガスＧが充填された第４室Ｃ４とに第２シリンダ部３０内を区画している。
【００３５】
このダンパ１０は、上述したように、第２シリンダ部３０が体積補償部として作用し、第１シリンダ部２０内を作動油Ｙが充填された状態を保持し、作動油Ｙが充填された第１シリンダ部２０内をピストンが移動するため、常に減衰力を発生することができる。
【００３６】
したがって、このダンパ１０は全ストローク範囲で減衰力を発生することができる。
【００３７】
また、このダンパ１０において、仕切部材４０の連通路は、第１シリンダ部２０と第２シリンダ部３０との間を流れる作動油Ｙに抵抗を付与する第１連通路４３と、第２シリンダ部３０から第１シリンダ部２０への作動油Ｙの流れのみを許容する逆止弁４７が設けられた第２連通路４５とを有している。また、第１ピストン６０は、第１室Ｃ１と第２室Ｃ２との間を流れる作動油Ｙに抵抗を付与する第３連通路６１と、第１室Ｃ１から第２室Ｃ２への作動油Ｙの流れのみを許容する逆止弁６５が設けられた第４連通路６３とを有している。このため、このダンパ１０は、収縮動作する際の全ストロークにおいて、減衰力を発生することができる。一方、このダンパ１０は、伸長動作する際に作動油Ｙが第２連通路４５及び第４連通路６３を流れるため、伸長方向に抵抗がなく第４室内Ｃ４に充填されたガスＧの膨張力によってスムーズに伸長することができる。このため、このダンパ１０を床面上に設置された家具Ｆの上面と天井Ｔとの間に取り付けると、地震等の揺れによる家具Ｆの傾きに確実に追随することができる。
【００３８】
＜実施形態２＞
実施形態２の転倒防止装置は、図３に示すように、ダンパ１１０の第２シリンダ部３０に第２ピストン８０が収納されず、ガスＧを充填した袋体１８０が収納されている点が実施形態１と相違する。他の構成は実施形態１と同様であり、同一の構成は同一の符号を付し詳細な説明を省略する。
【００３９】
この転倒防止装置のダンパ１１０は第２シリンダ部３０の閉鎖した端部側にガスＧを充填した袋体１８０が収納されている。袋体１８０は第２シリンダ部３０の閉鎖した端部に固定されている。袋体１８０は伸縮性を有している。このため、このダンパ１１０は、最も伸長した状態で第２シリンダ部３０の内部空間のほとんどを袋体１８０が占める。また、この転倒防止装置は、地震等の揺れによって家具Ｆが傾き、ダンパ１１０が収縮動作すると、第２室Ｃ２に充填された作動油Ｙが第１ピストン６０の第３連通路６１を流れて第１室Ｃ１に流入する。また、ダンパ１１０が収縮動作すると、ロッド７０が第１シリンダ部２０内へ入り込むことにより第１シリンダ部２０内のロッド７０が占める体積の増加するため、その体積と等しい量の作動油Ｙが、第２室Ｃ２から仕切部材４０の第１連通路４３を流れて袋体１８０と仕切部材４０との間に流入する。
【００４０】
また、この転倒防止装置は、袋体１８０と仕切部材４０との間の作動油Ｙが増加するに従い、ガスＧが充填された袋体１８０が圧縮される。このため、この転倒防止装置は、ダンパ１１０が収縮動作すると、袋体１８０の膨張力が増加し、作動油Ｙを第２シリンダ部３０から第１シリンダ部２０の第２室Ｃ２へ押し返す力が増加する。このように、この転倒防止装置は、ダンパ１１０が収縮すると、伸長方向へ袋体１８０の膨張力が作用する。
【００４１】
また、この転倒防止装置は、ダンパ１１０が伸長動作すると、第１室Ｃ１に充填された作動油Ｙが第１ピストン６０の第３連通路６１及び逆止弁が設けられた第４連通路６３を流れて、第２室Ｃ２に流入する。また、ダンパ１１０が伸長動作すると、ロッド７０が第１シリンダ部２０内から退出することにより第１シリンダ部２０内のロッド７０が占める体積の減少するため、その体積と等しい量の作動油Ｙが、袋体１８０と仕切部材４０との間から仕切部材４０の第１連通路４３及び逆止弁４７が設けられた第２連通路４５を通って、第２室Ｃ２に流入する。このように、この転倒防止装置のダンパ１１０は、第２シリンダ部３０が体積補償部として作用し、第１シリンダ部２０内は作動油Ｙが充填された状態が保持される。また、この転倒防止装置のダンパ１１０は、伸長動作する際に作動油Ｙが第２連通路４５及び第４連通路６３を流れるため、伸長方向に抵抗がなくガスＧが充填された袋体１８０の膨張力によってスムーズに伸長することができる。このため、この転倒防止装置のダンパ１１０は、地震等の揺れによる家具Ｆの傾きに確実に追随することができる。
【００４２】
このように、この転倒防止装置は、作動油Ｙが充填された第１シリンダ部２０内を第１ピストン６０が移動するため、ダンパ１１０が常に減衰力を発生することができる。よって、この転倒防止装置は、地震等の揺れによって家具Ｆが傾いた際、ダンパ１１０が全ストローク範囲で減衰力を発生し、常にダンパ１１０の減衰力が家具Ｆに作用して、家具Ｆの転倒を防止することができる。
【００４３】
以上説明したように、実施形態２の転倒防止装置を構成するダンパ１１０は、第１シリンダ部２０、第２シリンダ部３０、仕切部材４０、ロッドガイド５０、第１ピストン６０、ロッド７０、及び第２ピストン８０を備えている。第１シリンダ部２０は円筒状である。第２シリンダ部３０は第１シリンダ部２０に一方の端部が連続している。また、第２シリンダ部３０は他方の端部が閉鎖した円筒状である。仕切部材４０は第１シリンダ部２０と第２シリンダ部３０との境界部に設けられている。また、仕切部材４０は第１シリンダ部２０と第２シリンダ部３０とを連通する第１連通路４３を有している。ロッドガイド５０は第１シリンダ部２０の端部に開口した開口部２５を封鎖している。第１ピストン６０は作動油Ｙが充填された第１シリンダ部２０内に摺動自在に収納されている。また、第１ピストン６０は第１シリンダ部２０内を第１室Ｃ１と第２室Ｃ２とに区画している。ロッド７０は基端部が第１ピストン６０に連結されている。また、ロッド７０はロッドガイド５０を摺動自在に挿通して先端側が第１シリンダ部２０の外部へ突出している。袋体１８０は第２シリンダ部３０内に収納されている。また、袋体１８０は内部にガスＧを充填している。
【００４４】
このダンパ１１０は、上述したように、第２シリンダ部３０が体積補償部として作用し、第１シリンダ部２０内を作動油Ｙが充填された状態を保持し、作動油Ｙが充填された第１シリンダ部２０内をピストンが移動するため、常に減衰力を発生することができる。
【００４５】
したがって、このダンパ１１０は全ストローク範囲で減衰力を発生することができる。
【００４６】
また、このダンパ１１０において、仕切部材４０の連通路は、第１シリンダ部２０と第２シリンダ部３０との間を流れる作動油Ｙに抵抗を付与する第１連通路４３と、第２シリンダ部３０から第１シリンダ部２０への作動油Ｙの流れのみを許容する逆止弁４７が設けられた第２連通路４５とを有している。また、第１ピストン６０は、第１室Ｃ１と第２室Ｃ２との間を流れる作動油Ｙに抵抗を付与する第３連通路６１と、第１室Ｃ１から第２室Ｃ２への作動油Ｙの流れのみを許容する逆止弁６５が設けられた第４連通路６３とを有している。このため、このダンパ１１０は、収縮動作する際の全ストロークにおいて、減衰力を発生することができる。一方、このダンパ１１０は、伸長動作する際に作動油Ｙが第２連通路４５及び第４連通路６３を流れるため、伸長方向に抵抗がなくガスＧが充填された袋体１８０の膨張力によってスムーズに伸長することができる。このため、このダンパ１１０を床面上に設置された家具Ｆの上面と天井Ｔとの間に取り付けると、地震等の揺れによる家具Ｆの傾きに確実に追随することができる。
【００４７】
＜実施形態３＞
実施形態３の転倒防止装置は、図４に示すように、ダンパ２１０の第１シリンダ部２２０と第２シリンダ部２３０とが並列配置されている点が実施形態１と相違する。他の構成は実施形態１と同様であり、同一の構成は同一の符号を付し詳細な説明を省略する。
【００４８】
この転倒防止装置のダンパ２１０は、第１シリンダ部２２０、仕切部材４０、連通部Ｒ、第２シリンダ部２３０の順に設けられている。このように、仕切部材４０と連通部Ｒは第１シリンダ部２２０と第２シリンダ部２３０との境界部に設けられている。連通部Ｒは仕切部材４０の第１連通路４３及び第２連通路４５を介して第１シリンダ部２２０と第２シリンダ部２３０とを連通している。第１シリンダ部２２０と第２シリンダ部２３０とは並列配置されている。つまり、連通部Ｒは、転倒防止装置を家具Ｆの上面と天井Ｔとの間に取り付けた状態で、第１シリンダ部２２０の下側の端部と第２シリンダ部２３０の下側の端部とを連通している。
【００４９】
連通部Ｒは第１シリンダ部２２０及びロッド７０の中心軸に直交する接続面２２５を形成している。転倒防止装置は、第１シリンダ部２２０及びロッド７０の中心軸線上にジョイント部９０Ａの貫通孔９１の中心が位置するように、一方のジョイント部９０Ａを接続面２２５に接続している。転倒防止装置は他方のジョイント部９０Ｂをロッド７０の先端部に接続している。
【００５０】
このような構成を有する転倒防止装置は、ロッド７０が第１シリンダ部２２０から上方に突出し、第１シリンダ部２２０及びロッド７０の中心軸が水平面に対して６５°〜７５°の間の角度に傾斜するように、家具Ｆの上面と天井Ｔとの間に取り付けられる。
【００５１】
このように家具Ｆの上面と天井Ｔとの間に取り付けられた転倒防止装置は、地震等の揺れによって家具Ｆが傾き、ダンパ２１０が収縮動作すると、第２室Ｃ２に充填された作動油Ｙが第１ピストン６０の第３連通路６１を流れて第１室Ｃ１に流入する。また、ダンパ２１０が収縮動作すると、ロッド７０が第１シリンダ部２２０内へ入り込むことにより第１シリンダ部２２０内のロッド７０が占める体積の増加するため、その体積と等しい量の作動油Ｙが、第２室Ｃ２から仕切部材４０の第１連通路４３及び連通部Ｒを流れて第２シリンダ部２３０に形成された第３室Ｃ３に流入する。これによって、このダンパ２１０は減衰力が発生する。
【００５２】
また、このダンパ２１０は、第３室Ｃ３内の作動油Ｙが増加するに従い、第２ピストン８０が第４室Ｃ４側に押されて第４室Ｃ４に充填されたガスＧが圧縮される。このため、この転倒防止装置は、ダンパ２１０が収縮動作すると、第４室Ｃ４内に充填されたガスＧの膨張力が増加し、作動油Ｙを第２シリンダ部２３０の第３室Ｃ３から第１シリンダ部２２０の第２室Ｃ２へ押し返す力が増加する。このように、この転倒防止装置は、ダンパ２１０が収縮すると、伸長方向へガスＧの膨張力が作用する。
【００５３】
また、この転倒防止装置は、ダンパ２１０が伸長動作すると、第１室Ｃ１に充填された作動油Ｙが第１ピストン６０の第３連通路６１及び逆止弁６５が設けられた第４連通路６３を流れて、第２室Ｃ２に流入する。また、ダンパ２１０が伸長動作すると、ロッド７０が第１シリンダ部２２０内から退出することにより第１シリンダ部２２０内のロッド７０が占める体積が減少するため、その体積と等しい量の作動油Ｙが、第３室Ｃ３から連通部Ｒと、仕切部材４０の第１連通路４３及び逆止弁４７が設けられた第２連通路４５とを通って第２室Ｃ２に流入する。このように、この転倒防止装置のダンパ２１０は、第２シリンダ部２３０が体積補償部として作用し、第１シリンダ部２２０内は作動油Ｙが充填された状態が保持される。また、この転倒防止装置のダンパ２１０は、伸長動作する際に作動油Ｙが第２連通路４５及び第４連通路６３を流れるため、伸長方向に抵抗がなく第４室Ｃ４内に充填されたガスＧの膨張力によってスムーズに伸長することができる。このため、この転倒防止装置のダンパ２１０は、地震等の揺れによる家具Ｆの傾きに確実に追随することができる。
【００５４】
このように、この転倒防止装置は、作動油Ｙが充填された第１シリンダ部２２０内を第１ピストン６０が移動するため、ダンパ２１０が常に減衰力を発生することができる。よって、この転倒防止装置は、地震等の揺れによって家具Ｆが傾いた際、ダンパ２１０が全ストローク範囲で減衰力を発生し、常にダンパ２１０の減衰力が家具Ｆに作用して、家具Ｆの転倒を防止することができる。
【００５５】
以上説明したように、実施形態３の転倒防止装置を構成するダンパ２１０は、第１シリンダ部２２０、第２シリンダ部２３０、仕切部材４０、ロッドガイド５０、第１ピストン６０、ロッド７０、及び第２ピストン８０を備えている。第１シリンダ部２２０は円筒状である。第２シリンダ部２３０は第１シリンダ部２２０に一方の端部が連続している。また、第２シリンダ部２３０は他方の端部が閉鎖した円筒状である。仕切部材４０は第１シリンダ部２２０と第２シリンダ部２３０との境界部に設けられている。また、仕切部材４０は第１シリンダ部２２０と第２シリンダ部２３０とを連通する第１連通路４３を有している。ロッドガイド５０は第１シリンダ部２２０の端部に開口した開口部を封鎖している。第１ピストン６０は作動油Ｙが充填された第１シリンダ部２２０内に摺動自在に収納されている。また、第１ピストン６０は第１シリンダ部２２０内を第１室Ｃ１と第２室Ｃ２とに区画している。ロッド７０は基端部が第１ピストン６０に連結されている。また、ロッド７０はロッドガイド５０を摺動自在に挿通して先端側が第１シリンダ部２２０の外部へ突出している。第２ピストン８０は第２シリンダ部２３０内に摺動自在に収納されている。また、第２ピストン８０は第２室Ｃ２に連通して作動油Ｙが充填された第３室Ｃ３とガスＧが充填された第４室Ｃ４とに第２シリンダ部２３０内を区画している。
【００５６】
このダンパ２１０は、上述したように、第２シリンダ部２３０が体積補償部として作用し、第１シリンダ部２２０内を作動油Ｙが充填された状態を保持し、作動油Ｙが充填された第１シリンダ部２２０内をピストンが移動するため、常に減衰力を発生することができる。
【００５７】
したがって、このダンパ２１０は全ストローク範囲で減衰力を発生することができる。
【００５８】
また、このダンパ２１０は、第１シリンダ部２２０と第２シリンダ部２３０とが並列配置されるように、第１シリンダ部２２０と第２シリンダ部２３０とを連通する連通部Ｒを備えている。このため、このダンパ２１０は全長を短くすることができる。
【００５９】
また、このダンパ２１０において、仕切部材４０の連通路は、第１シリンダ部２２０と第２シリンダ部２３０との間を流れる作動油Ｙに抵抗を付与する第１連通路４３と、第２シリンダ部２３０から第１シリンダ部２２０への作動油Ｙの流れのみを許容する逆止弁４７が設けられた第２連通路４５とを有している。また、第１ピストン６０は、第１室Ｃ１と第２室Ｃ２との間を流れる作動油Ｙに抵抗を付与する第３連通路６１と、第１室Ｃ１から第２室Ｃ２への作動油Ｙの流れのみを許容する逆止弁６５が設けられた第４連通路６３とを有している。このため、このダンパ２１０は、収縮動作する際の全ストロークにおいて、減衰力を発生することができる。一方、このダンパ２１０は、伸長動作する際に作動油Ｙが第２連通路４５及び第４連通路６３を流れるため、伸長方向に抵抗がなく第４室内Ｃ４に充填されたガスＧの膨張力によってスムーズに伸長することができる。このため、このダンパ１０を床面上に設置された家具Ｆの上面と天井Ｔとの間に取り付けると、地震等の揺れによる家具Ｆの傾きに確実に追随することができる。
【００６０】
＜実施形態４＞
実施形態４の転倒防止装置は、図５に示すように、ダンパ３１０の第２シリンダ部２３０に第２ピストン８０が収納されず、ガスＧを充填した袋体３８０が収納されている点が実施形態３と相違する。他の構成は実施形態３と同様であり、同一の構成は同一の符号を付し詳細な説明を省略する。
【００６１】
この転倒防止装置のダンパ３１０は第２シリンダ部２３０の閉鎖した端部側にガスＧを充填した袋体３８０が収納されている。袋体３８０は、ガスＧが充填されているため、転倒防止装置が家具Ｆの上面と天井Ｔとの間に取り付けられた状態で、浮力によって第２シリンダ部２３０の閉鎖した端部に密着する。このように、この転倒防止装置は、袋体３８０を第２シリンダ部２３０の閉鎖した端部に固定する手間を要しない。袋体３８０は伸縮性を有している。
【００６２】
このダンパ３１０は、最も伸長した状態で第２シリンダ部２３０の内部空間のほとんどを袋体３８０が占める。また、この転倒防止装置は、地震等の揺れによって家具Ｆが傾き、ダンパ３１０が収縮動作すると、第２室Ｃ２に充填された作動油Ｙが第１ピストン６０の第３連通路６１を流れて第１室Ｃ１に流入する。また、ダンパ３１０が収縮動作すると、ロッド７０が第１シリンダ部２２０内へ入り込むことにより第１シリンダ部２２０内のロッド７０が占める体積が増加するため、その体積と等しい量の作動油Ｙが、第２室Ｃ２から仕切部材４０の第１連通路４３及び連通部Ｒを流れて袋体３８０を圧縮しながら第２シリンダ部２３０内に流入する。
【００６３】
このように、この転倒防止装置は、第２シリンダ部２３０内の作動油Ｙが増加するに従い、ガスＧが充填された袋体３８０が圧縮される。このため、この転倒防止内は、ダンパ３１０が収縮動作すると、袋体３８０の膨張力が増加し、作動油Ｙを第２シリンダ部２３０から第１シリンダ部２２０の第２室Ｃ２へ押し返す力が増加する。このように、この転倒防止装置は、ダンパ３１０が収縮すると、伸長方向へ袋体３８０の膨張力が作用する。
【００６４】
また、この転倒防止装置は、ダンパ３１０が伸長動作すると、第１室Ｃ１に充填された作動油Ｙが第１ピストン６０の第３連通路６１及び逆止弁６５が設けられた第４連通路６３を流れて、第２室Ｃ２に流入する。また、ダンパ３１０が伸長動作すると、ロッド７０が第１シリンダ部２２０内から退出することにより第１シリンダ部２２０内のロッド７０が占める体積の減少するため、その体積と等しい量の作動油Ｙが、第２シリンダ部２３０から連通部Ｒと仕切部材４０の第１連通路４３及び逆止弁４７が設けられた第２連通路４５とを通って、第２室Ｃ２に流入する。このように、この転倒防止装置のダンパ３１０は、第２シリンダ部２３０が体積補償部として作用し、第１シリンダ部２２０内は作動油Ｙが充填された状態が保持される。また、この転倒防止装置のダンパ３１０は、伸長動作する際に作動油Ｙが第２連通路４５及び第４連通路６３を流れるため、伸長方向に抵抗がなくガスＧが充填された袋体１８０の膨張力によってスムーズに伸長することができる。このため、この転倒防止装置のダンパ３１０は、地震等の揺れによる家具Ｆの傾きに確実に追随することができる。
【００６５】
このように、この転倒防止装置は、作動油Ｙが充填された第１シリンダ部２２０内を第１ピストン６０が移動するため、ダンパ３１０が常に減衰力を発生することができる。よって、この転倒防止装置は、地震等の揺れによって家具Ｆが傾いた際、ダンパ３１０が全ストローク範囲で減衰力を発生し、常にダンパ３１０の減衰力が家具Ｆに作用して、家具Ｆの転倒を防止することができる。
【００６６】
以上説明したように、実施形態４の転倒防止装置を構成するダンパ３１０は、第１シリンダ部２２０、第２シリンダ部２３０、仕切部材４０、ロッドガイド５０、第１ピストン６０、ロッド７０、及び第２ピストン８０を備えている。第１シリンダ部２２０は円筒状である。第２シリンダ部２３０は第１シリンダ部２２０に一方の端部が連続している。また、第２シリンダ部２３０は他方の端部が閉鎖した円筒状である。仕切部材４０は第１シリンダ部２２０と第２シリンダ部２３０との境界部に設けられている。また、仕切部材４０は第１シリンダ部２２０と第２シリンダ部２３０とを連通する第１連通路４３を有している。ロッドガイド５０は第１シリンダ部２２０の端部に開口した開口部を封鎖している。第１ピストン６０は作動油Ｙが充填された第１シリンダ部２２０内に摺動自在に収納されている。また、第１ピストン６０は第１シリンダ部２２０内を第１室Ｃ１と第２室Ｃ２とに区画している。ロッド７０は基端部が第１ピストン６０に連結されている。また、ロッド７０はロッドガイド５０を摺動自在に挿通して先端側が第１シリンダ部２２０の外部へ突出している。袋体３８０は第２シリンダ部２３０内に収納されている。また、袋体３８０は内部にガスＧを充填している。
【００６７】
このダンパ３１０は、上述したように、第２シリンダ部２３０が体積補償部として作用し、第１シリンダ部２２０内を作動油Ｙが充填された状態を保持し、作動油Ｙが充填された第１シリンダ部２２０内をピストンが移動するため、常に減衰力を発生することができる。
【００６８】
したがって、このダンパ３１０は全ストローク範囲で減衰力を発生することができる。
【００６９】
また、このダンパ３１０は、第１シリンダ部２２０と第２シリンダ部２３０とが並列配置されるように、第１シリンダ部２２０と第２シリンダ部２３０とを連通する連通部Ｒを備えている。このため、このダンパ３１０は全長を短くすることができる。
【００７０】
また、このダンパ３１０において、仕切部材４０の連通路は、第１シリンダ部２２０と第２シリンダ部２３０との間を流れる作動油Ｙに抵抗を付与する第１連通路４３と、第２シリンダ部２３０から第１シリンダ部２２０への作動油Ｙの流れのみを許容する逆止弁４７が設けられた第２連通路４５とを有している。また、第１ピストン６０は、第１室Ｃ１と第２室Ｃ２との間を流れる作動油Ｙに抵抗を付与する第３連通路６１と、第１室Ｃ１から第２室Ｃ２への作動油Ｙの流れのみを許容する逆止弁６５が設けられた第４連通路６３とを有している。このため、このダンパ３１０は、収縮動作する際の全ストロークにおいて、減衰力を発生することができる。一方、このダンパ３１０は、伸長動作する際に作動油Ｙが第２連通路４５及び第４連通路６３を流れるため、伸長方向に抵抗がなくガスＧが充填された袋体３８０の膨張力によってスムーズに伸長することができる。このため、このダンパ３１０を床面上に設置された家具Ｆの上面と天井Ｔとの間に取り付けると、地震等の揺れによる家具Ｆの傾きに確実に追随することができる。
【００７１】
本発明は上記記述及び図面によって説明した実施形態１〜４に限定されるものではなく、例えば次のような実施形態も本発明の技術的範囲に含まれる。
（１）実施形態１〜４では、シリンダ内に作動油を封入したが、作動油に限らず液体であればよい。
（２）実施形態１及び３では、第４室にガスを充填したが、第４室にガスを圧縮して充填してもよい。
（３）実施形態２及び４では、袋体にガスを充填したが、袋体にガスを圧縮して充填してもよい。
（４）実施形態１〜４では、圧効きダンパであったが、両利き、又は伸び効きダンパであってもよい。この場合、第１ピストンと仕切部材に設けられた逆止弁等を変更する。
（５）実施形態３及び４では、第１シリンダ部と第２シリンダ部とを並列配置したが、第１シリンダ部と第２シリンダ部の夫々の中心軸が交差するように配置してもよい。
【符号の説明】
【００７２】
１０，１１０，２１０，３１０…ダンパ、２０，２２０…第１シリンダ部、３０，２３０…第２シリンダ部、４０…仕切部材、４３，４５…連通路（４３…第１連通路、４５…第２連通路）、５０…ロッドガイド、６０…第１ピストン、７０…ロッド、８０…第２ピストン、１８０、３８０…袋体、Ｃ１…第１室、Ｃ２…第２室、Ｃ３…第３室、Ｃ４…第４室、Ｆ…家具（物品）、Ｇ…ガス、Ｒ…連通部、Ｔ…天井、Ｙ…作動油（作動液体）
【図１】
2017180493.tif 000003
【図２】
2017180493.tif 000004
【図３】
2017180493.tif 000005
【図４】
2017180493.tif 000006
【図５】
2017180493.tif 000007